(57)【要約】【課題】サーバーからコンピューター内にダウンロードさせることが可能な複数のコンテンツについての情報をコンピューター上でユーザーがそれぞれ確認できるアプリケーションソフトウエア、印刷システム、及び記録媒体を提供すること。【解決手段】パーソナルコンピューターに表示されるウィンドウ４０１において、第１フレーム４０２に一覧表示されたコンテンツの各々からいずれか一つのコンテンツが第１フレーム４０２上で選択されると、その選択されたコンテンツのプレビュー４０９を第２フレーム４０３に表示するので、サーバー２０１からパーソナルコンピューター内に又はラベルプリンター１内にダウンロードさせることが可能な複数のラベルプリンター１用のコンテンツについての情報を、第２フレーム４０３に表示されたプレビュー４０９を介して、パーソナルコンピューター上でユーザーがそれぞれ確認することができる。【選択図】図４
2012088824.tif 000002
【特許請求の範囲】
【請求項１】
コンテンツをサーバーからコンピューターにダウンロードするアプリケーションソフトウエアであって、
前記コンピューター上で起動すると前記コンピューターにウィンドウを表示し、
前記ウィンドウは、
前記サーバーからダウンロード可能なコンテンツの一覧が表示される第１フレームと、
前記第１フレームに並設された第２フレームと、
前記第１フレームに一覧表示されたコンテンツの各々からいずれか一つのコンテンツを前記第１フレーム上で選択可能な選択手段と、
前記第１フレームに一覧表示されたコンテンツの各々に対応したチェックボックスと、
前記チェックボックス上で選択されたコンテンツを前記サーバーからダウンロードを開始するためのボタンと、を有し、
前記第１フレームに一覧表示されたコンテンツの各々からいずれか一つのコンテンツが前記第１フレーム上で前記選択手段により選択されると、前記選択手段により選択されたコンテンツのプレビューを前記第２フレームに表示すること、
を特徴とするアプリケーションソフトウエア。
【請求項２】
請求項１に記載するアプリケーションソフトウエアであって、
前記ボタンがクリックされると、
前記チェックボックス上で選択されたコンテンツを前記コンピューターの所定領域内に前記サーバーからダウンロードすること、を特徴とするアプリケーションソフトウエア。
【請求項３】
請求項１又は請求項２に記載するアプリケーションソフトウエアであって、
前記コンピューター上で起動すると前記コンピューターにテンポラリフォルダを作成し、
前記テンポラリフォルダ内に前記第２フレームに表示され得る全プレビューを保存し、
前記コンピューター上で終了すると前記コンピューターから前記テンポラリフォルダを削除すること、を特徴とするアプリケーションソフトウエア。
【請求項４】
サーバーと、前記サーバーに接続されたコンピューターと、前記コンピューターに接続されたプリンターとを備えた印刷システムであって、
請求項１乃至請求項３のいずれか一つのアプリケーションソフトウエアが前記コンピューターで実行されること、を特徴とする印刷システム。
【請求項５】
請求項１乃至請求項３のいずれか一つのアプリケーションソフトウエアを記録したコンピューターに読み取り可能な記録媒体。
【発明の詳細な説明】
【技術分野】
【０００１】
本発明は、プレビューの表示を行うアプリケーションソフトウエア、印刷システム、及び記録媒体に関するものである。
【背景技術】
【０００２】
アプリケーションソフトウエア、印刷システム、及び記録媒体に関し、プレビューの表示を行う従来技術としては、例えば、下記特許文献１や下記特許文献２に記載されている技術がある。
【先行技術文献】
【特許文献】
【０００３】
【特許文献１】特開２００１−３５７０３０号公報
【特許文献２】特開２００８−１８８９１３号公報
【発明の概要】
【発明が解決しようとする課題】
【０００４】
しかしながら、サーバーからコンピューターにダウンロード可能なコンテンツについてコンピューター上でプレビューの表示が行われるには、そのプレビューの表示対象であるコンテンツ全体がコンピューター内にダウンロードされる必要がある。
【０００５】
従って、ユーザーは、コンピューター上で表示されるプレビューの表示をいくつか見ながら、サーバーからコンピューター内にダウンロードさせるコンテンツを選択するようなことはできなかった。なぜなら、コンピューター上でいくつかのプレビューの表示が可能なときには、既に、それぞれのプレビューの表示対象であるコンテンツ全体がサーバーからコンピューター内にダウンロードされているからである。
【０００６】
そこで、本発明は、上述した点を鑑みてなされたものであり、サーバーからコンピューター内にダウンロードさせることが可能な複数のコンテンツについての情報をコンピューター上でユーザーがそれぞれ確認できるアプリケーションソフトウエア、印刷システム、及び記録媒体を提供することを課題とする。
【課題を解決するための手段】
【０００７】
この課題を解決するためになされた請求項１に係る発明は、コンテンツをサーバーからコンピューターにダウンロードするアプリケーションソフトウエアであって、前記コンピューター上で起動すると前記コンピューターにウィンドウを表示し、前記ウィンドウは、前記サーバーからダウンロード可能なコンテンツの一覧が表示される第１フレームと、前記第１フレームに並設された第２フレームと、前記第１フレームに一覧表示されたコンテンツの各々からいずれか一つのコンテンツを前記第１フレーム上で選択可能な選択手段と、前記第１フレームに一覧表示されたコンテンツの各々に対応したチェックボックスと、前記チェックボックス上で選択されたコンテンツを前記サーバーからダウンロードを開始するためのボタンと、を有し、前記第１フレームに一覧表示されたコンテンツの各々からいずれか一つのコンテンツが前記第１フレーム上で前記選択手段により選択されると、前記選択手段により選択されたコンテンツのプレビューを前記第２フレームに表示すること、を特徴とする。
【０００８】
また、請求項２に係る発明は、請求項１に記載するアプリケーションソフトウエアであって、前記ボタンがクリックされると、前記チェックボックス上で選択されたコンテンツを前記コンピューターの所定領域内に前記サーバーからダウンロードすること、を特徴とする。
【０００９】
また、請求項３に係る発明は、請求項１又は請求項２に記載するアプリケーションソフトウエアであって、前記コンピューター上で起動すると前記コンピューターにテンポラリフォルダを作成し、前記テンポラリフォルダ内に前記第２フレームに表示され得る全プレビューを保存し、前記コンピューター上で終了すると前記コンピューターから前記テンポラリフォルダを削除すること、を特徴とする。
【００１０】
また、請求項４に係る発明は、印刷システムであって、サーバーと、前記サーバーに接続されたコンピューターと、前記コンピューターに接続されたプリンターとを備えた印刷システムであって、請求項１乃至請求項３のいずれか一つのアプリケーションソフトウエアが前記コンピューターで実行されること、を特徴とする。
【００１１】
また、請求項５に係る発明は、記録媒体であって、請求項１乃至請求項３のいずれか一つのアプリケーションソフトウエアを記録したコンピューターに読み取り可能なこと、を特徴とする。
【発明の効果】
【００１２】
すなわち、本発明では、コンピューターに表示されるウィンドウにおいて、第１フレームに一覧表示されたコンテンツの各々からいずれか一つのコンテンツが第１フレーム上で選択されると、その選択されたコンテンツのプレビューを第２フレームに表示するので、サーバーからコンピューター内にダウンロードさせることが可能な複数のコンテンツについての情報をコンピューター上でユーザーがそれぞれ確認できる。
【図面の簡単な説明】
【００１３】
【図１】本発明の一実施形態に係る印刷システムが表された概略図である。
【図２】パーソナルコンピューターの制御系が表わされたブロック図である。
【図３】サーバーの制御系が表わされたブロック図である。
【図４】本発明の一実施形態に係るアプリケーションソフトウエアがパーソナルコンピューター上で起動された際に、パーソナルコンピューターのディスプレイに表示されるウィンドウの一例が表された図である。
【図５】同アプリケーションソフトウエアの動作に関するプログラムの一例が表されたフローチャート図である。
【発明を実施するための形態】
【００１４】
［１．本発明の構成］
以下、本発明の一実施形態を図面を用いて説明する。図１は、本発明の一実施形態に係る印刷システムＰが表された概略図である。図１に表されたラベル印刷システムＰでは、ネットワーク網Ｎを介して、パーソナルコンピューター１０１とサーバー２０１とが接続される。更に、パーソナルコンピューター１０１は、ラベルプリンター１が接続されており、ディスプレイ１０５や入力操作部１０７等を有する。入力操作部１０７は、キーボードやマウスで構成される。
【００１５】
本発明の一実施形態に係るアプリケーションソフトウエアは、ラベルプリンター１用のコンテンツをサーバー２０１からパーソナルコンピューター１０１にダウンロードするためのアプリケーションソフトウエアであって、ＣＤ−ＲＯＭ３１１又は送信ファイル３１２を介して、パーソナルコンピューター１０１にインストールされる。
【００１６】
図２は、パーソナルコンピューター１０１の制御系が表わされたブロック図である。パーソナルコンピューター１０１は、制御部１１０を有する。制御部１１０は、ＣＰＵ１１１や、ＲＯＭ１１２、ＲＡＭ１１３、ＨＤＤ１１４により構成される。更に、制御部１１０は、ディスプレイ１０５や、入力操作部１０７、通信インターフェース１１５、接続インターフェース１１６に接続される。
【００１７】
ＣＰＵ１１１は、パーソナルコンピューター１０１における各種制御の中枢を担う中央演算処理装置である。従って、ＣＰＵ１１１は、入力操作部１０７等からの入力信号及び各種制御プログラム等に基づいて、ディスプレイ１０５等を制御する。ＲＯＭ１１２には、パーソナルコンピューター１０１における各種制御プログラムやデータが記憶される。ＲＡＭ１１３は、ＣＰＵ１１１での演算結果等が一時的に記憶される記憶装置である。ＲＡＭ１１３には、例えば、ネットワーク網Ｎから通信インターフェース１１５を介して取り込まれたデータが一時的に記憶され、ラベルプリンター１から接続インターフェース１１６を介して取り込まれたデータが一時的に記憶され、ラベルプリンター１用のコンテンツに関するデータを管理するためのテンポラリフォルダＴＦが一時的に確保される。
【００１８】
ＨＤＤ１１４は、複数の記憶領域を有し、記憶内容の書込・消去ができる大容量メモリである。ＨＤＤ１１４には、例えば、本実施形態に係るアプリケーションソフトウエアＡＳが記憶され、ラベルプリンター１用のコンテンツに関するデータを管理するためのインストールフォルダＩＦが確保される。
【００１９】
図３は、サーバー２０１の制御系が表わされたブロック図である。サーバー２０１は、サーバー制御部２０２を有する。サーバー制御部２０２は、サーバー２０１における各種制御の中枢を担う中央演算処理装置である。更に、サーバー制御部２０２は、データベース２０３に接続される。データベース２０３には、ネットワーク網Ｎから通信インターフェース２０４を介して取り込まれたデータが記憶される。更に、データベース２０３には、本実施形態に係るアプリケーションソフトウエアＡＳが記憶され、ラベルプリンター用のコンテンツのデータファイルＦが記憶される。尚、アプリケーションソフトウエアＡＳやデータファイルＦは、送信ファイル３１２を介して、パーソナルコンピューター１０１に転送させることが可能である（上記図１参照）。
【００２０】
ラベルプリンター用のコンテンツのデータファイルＦは、プレビューファイルＦ１とインストールファイルＦ２を有する。プレビューファイルＦ１は、ラベルプリンター用のコンテンツをプレビュー表示させるために必要なデータファイルである。インストールファイルＦ２は、ラベルプリンター用のコンテンツのデータファイルである。データベース２０３には、ラベルプリンター用のコンテンツが複数記憶される。
【００２１】
尚、ラベルプリンター用のコンテンツとしては、例えば、ラベルプリンターで使用される各種のテンプレート集がある。更に、ラベルプリンター用のコンテンツには、パーソナルコンピューター１０１に接続されたラベルプリンター１の機種に対応可能なものもあれば、パーソナルコンピューター１０１に接続されたラベルプリンター１の機種以外のラベルプリンターの機種に対応可能なものもある。
【００２２】
図４は、本実施形態に係るアプリケーションソフトウエアＡＳがパーソナルコンピューター１０１上で起動された際に、パーソナルコンピューター１０１のディスプレイ１０５に表示されるウィンドウ４０１の一例が表された図である。
【００２３】
図４に表されたウィンドウ４０１には、第１フレーム４０２や、第２フレーム４０３、反転表示カーソル４０４、チェックボックス４０５、転送ボタン４０６、閉じるボタン４１０等が表示される。第１フレーム４０２は、サーバー２０１からダウンロード可能なコンテンツの一覧が表示される。第２フレーム４０３は、第１フレーム４０２の下側に並設されて表示される。反転表示カーソル４０４は、第１フレーム４０２に一覧表示されたコンテンツの各々からいずれか一つのコンテンツを第１フレーム４０２上で選択する手段に相当する。反転表示カーソル４０４は、パーソナルコンピューター１０１の入力操作部１０７を構成するキーボードやマウスで操作される。チェックボックス４０５は、第１フレーム４０１に一覧表示されたコンテンツの各々に対応して表示される。転送ボタン４０６は、チェックボックス４０５上で選択されたコンテンツをサーバー２０１からダウンロードを開始するためのボタンである。閉じるボタン４１０は、パーソナルコンピューター１０１のディスプレイ１０５に表示されたウィンドウ４０１を閉じるためのボタンである。
【００２４】
尚、第１フレーム４０２に一覧が表示されるコンテンツは、パーソナルコンピューター１０１に接続されたラベルプリンター１の機種に対応可能なものである。
【００２５】
そして、第１フレーム４０２に一覧表示されたコンテンツの各々からいずれか一つのコンテンツが第１フレーム４０２上で反転表示カーソル４０４により選択されると、反転表示カーソル４０４により選択されたコンテンツのプレビュー４０９が第２フレーム４０３に表示される。
【００２６】
図４に表された具体例で説明すると、第１フレーム４０２には、「オフィス標識（１８ｍｍ）テンプレート集」や「オフィス標識（２４ｍｍ）テンプレート集」、「ファイル（１２ｍｍ）テンプレート集」、「ファイル（１８ｍｍ）テンプレート集」、「警告（１８ｍｍ）テンプレート集」、「警告（２４ｍｍ）テンプレート集」の各コンテンツ名が一覧で表示されている。一方、第２フレーム４０３には、第１フレーム４０２の反転表示カーソル４０４内で表示された「ファイル（１２ｍｍ）テンプレート集」のコンテンツのプレビュー４０９が表示される。
【００２７】
尚、第２フレーム４０３に表示されるプレビュー４０９は、静画画像４０７とテキスト画像４０８を有する。
【００２８】
［２．本発明の動作］
図５は、本実施形態に係るアプリケーションソフトウエアＡＳの動作に関するプログラムの一例が表されたフローチャート図である。図５に表されたように、先ず、Ｓ１１において、パーソナルコンピューター１０１は、パーソナルコンピューター１０１の入力操作部１０７を構成するキーボードやマウスによるユーザーの操作により、アプリケーションソフトウエアＡＳを起動させる。その後は、Ｓ１２に進む。
【００２９】
Ｓ１２では、アプリケーションソフトウエアＡＳによって、サーバー２０１から複数のプレビューファイルＦ１が取得される。その後は、Ｓ１３に進む。
【００３０】
Ｓ１３では、アプリケーションソフトウエアＡＳによって、パーソナルコンピューター１０１のＲＡＭ１１３内にテンポラリフォルダＴＦが確保され、その確保されたテンポラリフォルダＴＦ内に上記Ｓ１２で取得された複数のプレビューファイルＦ１が保存される。その後は、Ｓ１４に進む。
【００３１】
このとき、アプリケーションソフトウエアＡＳは、テンポラリフォルダＴＦ内に保存された複数のプレビューファイルＦ１に基づいてパーソナルコンピューター１０１のディスプレイ１０５にウィンドウ４０１を表示する。さらに、アプリケーションソフトウエアＡＳは、既に説明した図４のウィンドウ４０１のようにして、第１フレーム４０２内でのコンテンツの一覧表示や、第２フレーム４０３内でのプレビュー４０９の表示を行う。
【００３２】
Ｓ１４では、アプリケーションソフトウエアＡＳによって、サーバー２０１からインストールファイルＦ２を取得するか否かが判定される。この判定は、パーソナルコンピューター１０１のディスプレイ１０５に表示されたウィンドウ４０１上において、パーソナルコンピューター１０１の入力操作部１０７を構成するキーボードやマウスによるユーザーの操作に基づいて行われる。
【００３３】
具体的には、パーソナルコンピューター１０１のディスプレイ１０５に表示されたウィンドウ４０１上において、チェックボックス４０５のいずれかのボックスがチェックされた状態で転送ボタン４０６が押下されると、サーバー２０１からインストールファイルＦ２を取得すると判定する。これに対して、閉じるボタン１１０が押下されると、サーバー２０１からインストールファイルＦ２を取得しないと判定する。
【００３４】
ここで、サーバー２０１からインストールファイルＦ２を取得する場合（Ｓ１４：ＹＥＳ）には、Ｓ１５に進む。
【００３５】
Ｓ１５では、アプリケーションソフトウエアＡＳによって、パーソナルコンピューター１０１のＲＡＭ１１３内に確保されたテンポラリフォルダＴＦにインストールファイルＦ２が保存される。具体的には、パーソナルコンピューター１０１のディスプレイ１０５に表示されたウィンドウ４０１上でチェックされたチェックボックス４０５のボックスに対応したコンテンツのインストールファイルＦ２が、サーバー２０１から取得され、パーソナルコンピューター１０１のＲＡＭ１１３内に確保されたテンポラリフォルダＴＦに保存される。その後は、Ｓ１６に進む。
【００３６】
Ｓ１６では、アプリケーションソフトウエアＡＳによって、上記Ｓ１５でテンポラリフォルダＴＦに保存されたインストールファイルＦ２が、予め指定されたフォルダにインストールされる。具体的には、図４に表されたウィンドウ４０１は、パーソナルコンピューター１０１に接続されたラベルプリンター１に転送させることを前提としたウィンドウであるので、上記Ｓ１５でテンポラリフォルダＴＦに保存されたインストールファイルＦ２は、パーソナルコンピューター１０１に接続されたラベルプリンター１が有する予め指定されたフォルダにインストールされる。これに対して、パーソナルコンピューター１０１のディスプレイ１０５に表示されたウィンドウ４０１が、パーソナルコンピューター１０１に転送させることを前提としたウィンドウである場合には、パーソナルコンピューター１０１のＨＤＤ１１４内に確保されたインストールフォルダＩＦにインストールされる。
【００３７】
その後は、上記Ｓ１４に戻って、上記Ｓ１４の判定処理を繰り返す。このＳ１４において、上述した判定結果とは異なり、サーバー２０１からインストールファイルＦ２を取得しない場合（Ｓ１４：ＮＯ）には、Ｓ１７に進む。
【００３８】
Ｓ１７では、パーソナルコンピューター１０１は、アプリケーションソフトウエアＡＳを終了させる。その後は、Ｓ１８に進む。
【００３９】
Ｓ１８では、パーソナルコンピューター１０１は、ＲＡＭ１１３内に確保されたテンポラリフォルダＴＦを消去する。その後は、図５のフローチャートで表された動作プログラムが終了される。
【００４０】
［３．まとめ］
すなわち、本実施の形態では、パーソナルコンピューター１０１のディスプレイ１０５に表示されるウィンドウ４０１において、第１フレーム４０２に一覧表示されたコンテンツの各々からいずれか一つのコンテンツが第１フレーム４０２上で選択されると、その選択されたコンテンツのプレビュー４０９を第２フレーム４０３に表示するので、サーバー２０１からパーソナルコンピューター１０１内に又はラベルプリンター１内にダウンロードさせることが可能な複数のラベルプリンター１用のコンテンツについての情報を、第２フレーム４０３に表示されたプレビュー４０９の静画画像４０７やテキスト画像４０８を介して、パーソナルコンピューター１０１上でユーザーがそれぞれ確認できる。
【００４１】
ひいては、ユーザーは、第２フレーム４０３に表示されたプレビュー４０９の静画画像４０７やテキスト画像４０８を介した確認に基づいて、所望するラベルプリンター１用のコンテンツだけをサーバー２０１からコンピューター１０１内に又はラベルプリンター１内にダウンロードさせることができる（Ｓ１４：ＹＥＳ）。
【００４２】
つまり、第１フレーム４０２にはダウンロードできるコンテンツの一覧が表示され、第１フレーム４０２上で反転表示カーソル４０４により選択される対象のコンテンツを切り替えることによって、第２フレーム４０３に表示されるプレビュー４０９の静画画像４０７やテキスト画像４０８も切り替わり、そのプレビュー４０９のテキスト画像４０８に、例えば、更新日・サイズ等の情報があれば、それらを確認して、ユーザーがコンテンツをダウンロードすることができる。
【００４３】
［４．その他］
尚、本発明は上記実施形態に限定されるものでなく、その趣旨を逸脱しない範囲で様々な変更が可能である。
例えば、パーソナルコンピューター１０１のディスプレイ１０５に表示されるウィンドウ４０１において、第２フレーム４０３に表示された「詳細はこちら」のキーワードやその左側に隣接する図形とで構成されるポインタが、パーソナルコンピューター１０１の入力操作部１０７を構成するキーボードやマウスでユーザーによりクリックされると、第２フレーム４０３に表示されたプレビュー４０９のテキスト画像４０８の内容よりも詳細な内容を第２フレーム４０３に表示させることも可能である。そのためには、上記Ｓ１２で取得される各プレビューファイルＦ１は、例えば、ＸＭＬ形式やＨＴＭＬ形式などのマークアップ言語のいずれかで記述されればよい。
【００４４】
また、本実施の形態では、パーソナルコンピューター１０１にはラベルプリンター１が接続されていたが、ラベルプリンター以外のプリンターがパーソナルコンピューター１０１に接続されていてもよい。但し、この場合におけるアプリケーションソフトウエアは、ラベルプリンター以外のプリンター用のコンテンツをサーバー２０１からパーソナルコンピューター１０１にダウンロードするためのアプリケーションソフトウエアである。
【００４５】
さらに、本実施の形態において、パーソナルコンピューター１０１にはプリンターが接続されていなくてもよい。但し、この場合におけるアプリケーションソフトウエアは、パーソナルコンピューター１０１に接続可能な周辺機器（プリンターを含む）用のコンテンツをサーバー２０１からパーソナルコンピューター１０１にダウンロードするためのアプリケーションソフトウエアである。
【符号の説明】
【００４６】
Ｐ  印刷システム
１  ラベルプリンター
１０１  パーソナルコンピューター
２０１  サーバー
３１１  ＣＤ−ＲＯＭ
３１２  送信ファイル
４０１  ウィンドウ
４０２  第１フレーム
４０３  第２フレーム
４０４  反転表示カーソル
４０５  チェックボックス
４０６  転送ボタン
４０９  プレビュー
ＡＳ  アプリケーションソフトウエア
Ｆ１  プレビューファイル
Ｆ２  インストールファイル
ＩＦ  インストールフォルダ
ＴＦ  テンポラリフォルダ
【図１】
2012088824.tif 000003
【図２】
2012088824.tif 000004
【図３】
2012088824.tif 000005
【図４】
2012088824.tif 000006
【図５】
2012088824.tif 000007